(57)【要約】      （修正有）【課題】高齢者や手の不自由な者などが食事をする際に僅かな力で食べ物を挟むことができ、力を入れない状態ではスプーンとして機能する介護用スプーンを提供する。【解決手段】一対のスプーンの柄１に対して力を加えることで先端部が開いた状態となる構造にするために、前記一対のスプーンの柄１の先端部付近は交差する形状とし、前記一対のスプーンの柄の先端部には分割されたスプーンの壺部２が備わり、力を加えない状態では前記分割されたスプーンの壺部２が閉じた状態になっている。【選択図】図１
0003224590.tif 000002
【実用新案登録請求の範囲】
【請求項１】
一対のスプーンの柄に対して力を加えることで前記スプーンの柄の先端部を開いた状態とするために、前記一対のスプーンの柄の先端部付近を交差させ、前記一対のスプーンの柄の先端部には分割されたスプーンの壺部が備わり、前記一対のスプーンの柄に力を加えない状態では前記分割されたスプーンの壺部が接合し閉じた状態になっていることを特徴とする介護用スプーン
【請求項２】
二股に分かれた柄を有するスプーンであり、前記スプーンが長手方向に分割され、前記スプーンの二股に分かれた柄に対して対面する側面部には相互の柄を押し開く方向に力を加えるバネが取り付けられており、前記二股に分かれた柄に力を加えない状態では前記分割されたスプーンの壺部が接合し閉じた状態になっていることを特徴とする介護用スプーン
【請求項３】
分割されたスプーンの壺部の接合部に樹脂が取り付けてある請求項１と請求項２に記載の介護用スプーン
【考案の詳細な説明】
【技術分野】
【０００１】本考案は、被介護者、高齢者などが飲食する際に使用するスプーンに関する。
【背景技術】
【０００２】食事をする際に、箸で上手く食べ物を掴めない又は掴んだ食物を口元で落とす被介護者、高齢者や障碍者は多く、そのためにスプーンを使用する場面を多く見かける。しかしながら、食物には固形物、半固形物、流動物、液体、若しくは固形物と液体の混在した物などがありスプーンのみで食べ物を摂取するには難があり、具体的にはスプーンを用いて麺を食する場合や野菜サラダなどを食する場合などである。【０００３】特許文献１には、柄と裏面に少なくとも１つの溝が形成されたすくい部とを備えたスプーンが提案されている。特許文献２は、受け部を持ち手部から成り、持ち手部は基部が繋がって両側へ広がって延びる持ち手片を有し、持ち手片の先端には受け部を構成する受け片を連続して形成し、上記両持ち手片を摘んで外方向から押圧力を作用することで両受け片が閉じて受け部を形成するようにした挟式スプーンも提案されている。
【先行技術文献】
【特許文献】
【０００４】
【特許文献１】特開２０１３−０９４１７７号公報
【特許文献２】実用登録第３１８９９０５号公報
【考案の概要】
【考案が解決しようとする課題】
【０００５】特許文献１に於いては、あくまでもスプーンとして掬うだけの機能であり食べ物を挟んだり・掴んだりする箸としての機能を有しておらず、また類似のアイデアが多数提案されている。【０００６】一方で、特許文献２に於いては挟式スプーンであるが基本的には箸の機能を重視された設計となっている。上述したように対象者は箸で上手く食べ物を掴めない又は掴んだ食物を口元で落としたりする被介護者、高齢者や障碍者であるため当該挟式スプーンでは食事中に押圧力を維持させる必要があり使用者には負担となる。
【課題を解決するための手段】
【０００７】上記課題に鑑み、考案者は誠意工夫の結果、被介護者、高齢者や障碍者などが如何に簡単、且つ効率よく食事が採取できるかを両立させるために第一の形態として、一対のスプーンの柄に対して力を加えることで先端部が開いた状態とするために、一対のスプーンの柄に対して力を加えることで前記スプーンの柄の先端部を開いた状態とするために、前記一対のスプーンの柄の先端部付近を交差させ、前記一対のスプーンの柄の先端部には分割されたスプーンの壺部が備わり、前記一対のスプーンの柄に力を加えない状態では前記分割されたスプーンの壺部が接合し閉じた状態になる介護用スプーンとしている。前記スプーンの先端部を開閉可能とするための構造としては、ピンセットのように１対の片の他端を固定する方法や１片の板を中央部から屈折させるトングのような構造も適用することができる。【０００８】第二の形態として、二股に分かれた柄を有するスプーンであり前記スプーンが長手方向に分割され、前記スプーンの二股に分かれた柄に対して対面する側面部には相互の柄を押し開く方向に力を加えるバネが取り付けられており、前記二股に分かれた柄に力を加えない状態では前記分割されたスプーンの壺部が接合し閉じた状態になる介護用スプーンとしている。【０００９】第一の形態および第二の形態であるスプーンの壺部の接合部には当該分割部を覆うように樹脂が取り付けてあり汁物を掬う場合に漏れが少なくなるようにしている。
【考案の効果】
【００１０】本考案の介護用スプーンは主に手の力の弱い者や被介護者向けようであり通常はスプーンを使用して食べ物を摂取するが、箸を使用する場合でも食べ物を挟む時にのみ当該スプーンの柄に力を加えスプーン壺部を開き、力を緩めるとスプーン壺部は閉じる構造となっているため自ずと食べ物は挟まれる構造となっているために手に力を加える時間は短くなり負担を低減することが可能となる。
【図面の簡単な説明】
【００１１】
【図１】本考案の第一形態に係るスプーンを示した外観図
【図２】本考案の第一形態に係るスプーンを示した平面図
【図３】本考案の第二形態に係るスプーンを示した平面図
【図４】本考案の第二形態に係るスプーンを示した側面図
【図５】本考案の第二形態の変形例に係るスプーンを示した平面図
【図６】図５に記載したスプーンを２片に分解した状態であり、（ａ）と（ｂ）は平面図、（ｃ）と（ｄ）は側面図
【図７】本考案の実施形態に係るスプーン壺部の接合の一例を示した断面図
【図８】本考案の実施形態に係るスプーン壺部の接合の変形例を示した断面図
【考案を実施するための形態】
【００１２】以下、図面を参照しつつ、本考案の実施の形態について説明する。
【実施例】
【００１３】本考案の第一形態に係るスプーンについて、図１は本考案の第一形態に係るスプーンを示した外観図であり、図２は当該第一形態に係るスプーンを示した平面図である。【００１４】本考案の第一実施形態である介護用スプーン１００は、図１と図２に示すように一対のスプーンの柄１の一方は相互に固定されており、当該スプーンの柄１はＡにて屈折され相互に交差してなり、当該先端部には分割されたスプーンの壺部２が備わり、当該スプーンの柄１をＢで屈折させ前記分割されたスプーンの壺部２が接合するようにしている。前記一対の柄に力を加えた時に前記スプーンの壺部２の開閉が円滑に動作出来るようにＡとＢの領域に於いては柄の幅を細くしている。【００１５】本考案の第二形態に係るスプーンについて、図３は本考案の第二形態に係るスプーンを示した平面図、図４は当該第二形態に係るスプーンを示した側面図である。【００１６】本考案の第二実施形態である介護用スプーン２００は、図３と図４に示すようにスプーンの壺部１２にスプーンの柄１１が２本取り付けられた構造であり、前記スプーンの壺部１２が長手方向に分割され、前記スプーンの柄１１の側面部には双方のスプーンの柄１１を押し開く方向に力を加える板バネ１５により固定されてあり、前記スプーンの柄１１に力を加えない状態では当該スプーンの壺部１２の分割部が接合するようにしている。【００１７】本考案の第二実施形態の変形例に係るスプーンについて、図５は本考案の第二形態に係るスプーンを示した平面図、図６は図５に記載したスプーンを２片に分解した状態であり、（ａ）と（ｂ）は平面図、（ｃ）と（ｄ）は側面図である。【００１８】第二実施形態の変形例に係る介護用スプーン３００は、図５に示すように分割されたスプーンの壺部２２Ａにはスプーンの柄２１Ａが取り付けられたものと、他方の分割されたスプーンの壺部２２Ｂにはスプーンの柄２１Ｂが取り付けられたものとが組み合わせてなる。前記組み合わせてなるスプーンはピン２７を支点として前記分割されたスプーンの開閉を可能としており、前記スプーンの柄２１Ａとスプーンの柄２１Ｂの間には相互の柄を押し開く方向に力を加えるコイルバネ２５が取り付けられている。【００１９】分割されたスプーン壺部の開閉については、図６（ａ）、（ｂ）の平面図に示すようにスプーンの柄２１Ａに備わるフランジ２８Ａとスプーンの柄２１Ｂに備わるフランジ２８Ｂには貫通穴２６Ａと貫通穴２６Ｂの孔が設けられており、両方の貫通穴にピン２７を通すことで可能となる。前記フランジの形状については図６（ｃ）、（ｄ）の側面図に示すようにスプーンの柄２１Ａに備わるフランジ２８Ａは概ねスプーンの柄２１Ａの半分の厚みとし、スプーンの柄２１Ｂに備わるフランジ２８Ｂも概ねスプーンの柄２１Ｂの半分の厚みとしている。【００２０】図７は、本考案の実施形態に係るスプーンの壺部の接合の一例を示した断面図を示す。分割されたスプーンの壺部２２Ａと分割されたスプーンの壺部２２Ｂの接合する領域には弾力性のある樹脂カバー３０Ａと樹脂カバー３０Ｂが固着されており両接合面が隙間なく密着するようになっており液状の食物が漏れ難くしている。図８は、本考案の実施形態に係る分割されたスプーンの壺部の接合部の変形例を示した断面図を示すが、分割されたスプーンの壺部２２Ａと分割されたスプーンの壺部２２Ｂの接合する領域には双方に段差３５Ａと段差３５Ｂを設けており液状の食物が漏れ難くしている。
【符号の説明】
【００２１】１      スプーンの柄
２      スプーンの壺部
１１    スプーンの柄
１２    スプーンの壺部
１５    板バネ
２１Ａ  スプーンの柄
２２Ａ  分割されたスプーンの壺部
２１Ｂ  スプーンの柄
２２Ｂ  分割されたスプーンの壺部
２５    コイルバネ
２６Ａ  貫通穴
２６Ｂ  貫通穴
２７    ピン
２８Ａ  フランジＡ
２８Ｂ  フランジＢ
３０Ａ  樹脂カバー
３０Ｂ  樹脂カバー
３５Ａ  段差
３５Ｂ  段差
１００  第一実施形態に係る介護用スプーン
２００  第二実施形態に係る介護用スプーン
３００  第二形態の変形例に係る介護用スプーン
Ａ      屈折部
Ｂ      屈折部
【図１】
0003224590.tif 000003
【図２】
0003224590.tif 000004
【図３】
0003224590.tif 000005
【図４】
0003224590.tif 000006
【図５】
0003224590.tif 000007
【図６】
0003224590.tif 000008
【図７】
0003224590.tif 000009
【図８】
0003224590.tif 000010
【手続補正書】
【提出日】令和1年10月15日(2019.10.15)
【手続補正１】
【補正対象書類名】実用新案登録請求の範囲
【補正対象項目名】全文
【補正方法】変更
【補正の内容】
【実用新案登録請求の範囲】
【請求項１】
一対のスプーンの柄に対して力を加えることで前記スプーンの柄の先端部を開いた状態とするために、前記一対のスプーンの柄の先端部付近を交差させ、前記一対のスプーンの柄の先端部には分割されたスプーンの壺部が備わり、前記一対のスプーンの柄に力を加えない状態では前記分割されたスプーンの壺部が接合し閉じた状態になっていることを特徴とする介護用スプーン
【請求項２】
二股に分かれた柄を有するスプーンであり、前記スプーンが長手方向に分割され、前記スプーンの二股に分かれた柄に対して対面する側面部には相互の柄を押し開く方向に力を加えるバネが取り付けられており、前記二股に分かれた柄に力を加えない状態では前記分割されたスプーンの壺部が接合し閉じた状態になっていることを特徴とする介護用スプーン
【請求項３】
分割されたスプーンの壺部の接合部に樹脂が取り付けてある請求項１又は請求項２に記載の介護用スプーン